(57)【要約】【課題】印刷する２連式の帳票の位置精度を維持しながら、印刷用紙のコスト低減を可能にする。【解決手段】第１票及び第２票からなる２連式の帳票を印刷する携帯型帳票印刷装置において、第１のアイマークと第２のアイマークを有する連続紙を印刷用紙として用い、前記第１のアイマークを検出する（Ｓ１８）ことにより、前記第１票の印刷開始位置と前記第２票の印刷完了後の用紙カット位置（Ｓ２４）を定め、前記第２のアイマークを検出することにより、前記第２票の印刷開始位置（Ｓ１６）を定める制御手段を備えている。【選択図】図５
2007098882.tif 000002
【特許請求の範囲】
【請求項１】
第１票及び第２票からなる２連式の帳票を印刷する携帯型帳票印刷装置において、第１のアイマークと第２のアイマークを有する連続紙を印刷用紙として用い、前記第１のアイマークを検出することにより、前記第１票の印刷開始位置と前記第２票の印刷完了後の用紙カット位置を定め、前記第２のアイマークを検出することにより、前記第２票の印刷開始位置を定める制御手段を備えたことを特徴とする携帯型帳票印刷装置。
【請求項２】
印刷紙面の次の紙面の前記第１のアイマークがアイマークセンサにより検出されるときに前記用紙カット位置が用紙カッターの元に来るような位置関係になるように、前記アイマークセンサと前記用紙カッターの間の距離が定められていることを特徴とする請求項１に記載の携帯型帳票印刷装置。
【請求項３】
第１票及び第２票からなる２連式の帳票を印刷する帳票印刷方法において、第１のアイマークと第２のアイマークを有する連続紙を印刷用紙として用い、前記第１のアイマークを検出することにより、前記第１票の印刷開始位置を定めて前記第１票を印刷し、前記第２のアイマークを検出することにより、前記第２票の印刷開始位置を定めて前記第２票を印刷し、印刷紙面の次の紙面の前記第１のアイマークを検出することにより、前記第２票印刷後の用紙カット位置を定めて前記印刷紙面を前記用紙カット位置に送るようにしたことを特徴とする帳票印刷方法。
【請求項４】
第１票及び第２票からなる２連式の帳票が印刷される、連続紙を用いた帳票印刷用紙であって、前記第１票の印刷開始位置と前記第２票の印刷完了後の用紙カット位置を定めるための第１のアイマークと、前記第２票の印刷開始位置を定めるための第２のアイマークとを有することを特徴とする帳票印刷用紙。
【発明の詳細な説明】
【技術分野】
【０００１】
本発明は、電力、水道、ガス、その他に関する２連式の帳票を印刷する携帯型帳票印刷装置、帳票印刷方法及びそれに使用される帳票印刷用紙に関するものである。
【背景技術】
【０００２】
例えば、電力量を検針する場合、検針員がハンディターミナル（携帯型情報検針端末機器）を携帯し、ハンディターミナルは各需要家のメータの検針値を自動的に読みとって検針値を入力している。或いは検針員が検針値を目視で読みとってハンディターミナルに手動で入力している。そして、携帯型帳票印刷装置（前記ハンディターミナルと別体のものや内蔵されるものがある）により、検針結果のお知らせ票や振込用紙などの帳票が現場でプリントアウトされ、需要家に渡される。
【０００３】
従来、電力、水道などの利用料金の自動引落の契約を行っていない需要家に対しては、郵便振替の払込取扱票（第１票）と払込票兼受領証（第２票）から成る２連式の帳票を印刷すること、それを行うために、印刷用紙の裏面に、頭出用のアイマーク、第１票の印刷開始位置を定めるための第１票用のアイマーク、第２票の印刷開始位置を定めるための第２票用のアイマークの３種類のアイマークを設けることが、特開２００１-１６２８８６号公報（特許文献１）に開示されている。
【０００４】
図７により具体例を説明すると、ロール紙などの印刷用紙１００の裏面には、第１票用のアイマーク１０１（例えば２ｍｍ幅）、第２票用のアイマーク１０２（例えば５ｍｍ幅）、頭出し用のアイマーク１０３（例えば３ｍｍ幅）が予め印刷されている。アイマーク１０１により第１票１０４の印刷開始位置が定められ、アイマーク１０２により第２票１０５の印刷開始位置が定められる。そして、アイマーク１０３により印刷用紙１００の用紙カット位置出しが行われる。用紙カット位置では用紙カッターによりミシン目１０６（予め印刷用紙１００に加工されている）に沿って切断される。なお、第１票１０４と第２票１０５の間にも予めミシン目１０７が入れられている。
【特許文献１】特開２００１−１６２８８６号公報
【発明の開示】
【発明が解決しようとする課題】
【０００５】
しかしながら、特許文献１では、３種類のアイマークを予め印刷用紙の裏面に設けておかなければならないために、印刷用紙のコストが高くなっていた。
【０００６】
（本発明の目的）
本発明の目的は、印刷する２連式の帳票の位置精度を維持しながら、印刷用紙のコスト低減を可能にする携帯型帳票印刷装置、帳票印刷方法及び帳票印刷用紙を提供することである。
【課題を解決するための手段】
【０００７】
上記目的を達成するために、本発明は、第１票及び第２票からなる２連式の帳票を印刷する携帯型帳票印刷装置において、第１のアイマークと第２のアイマークを有する連続紙を印刷用紙として用い、前記第１のアイマークを検出することにより、前記第１票の印刷開始位置と前記第２票の印刷完了後の用紙カット位置を定め、前記第２のアイマークを検出することにより、前記第２票の印刷開始位置を定める制御手段を備えたことを特徴とするものである。
【０００８】
また、上記目的を達成するために、本発明は、第１票及び第２票からなる２連式の帳票を印刷する帳票印刷方法において、第１のアイマークと第２のアイマークを有する連続紙を印刷用紙として用い、前記第１のアイマークを検出することにより、前記第１票の印刷開始位置を定めて前記第１票を印刷し、前記第２のアイマークを検出することにより、前記第２票の印刷開始位置を定めて前記第２票を印刷し、印刷紙面の次の紙面の前記第１のアイマークを検出することにより、前記第２票印刷後の用紙カット位置を定めて前記印刷紙面を前記用紙カット位置に送るようにしたことを特徴とするものである。
【０００９】
また、上記目的を達成するために、本発明は、第１票及び第２票からなる２連式の帳票が印刷される、連続紙を用いた帳票印刷用紙であって、前記第１票の印刷開始位置と前記第２票の印刷完了後の用紙カット位置を定めるための第１のアイマークと、前記第２票の印刷開始位置を定めるための第２のアイマークとを有することを特徴とするものである。
【発明の効果】
【００１０】
本発明によれば、印刷する２連式の帳票の位置精度を維持しながら、印刷用紙のコスト低減を可能にする。
【発明を実施するための最良の形態】
【００１１】
本発明を実施するための最良の形態は後述する実施例に記載の通りである。
【実施例】
【００１２】
図１は本発明の一実施例である携帯型帳票印刷装置に使用される印刷用紙１の裏面を示す図である。印刷用紙１（例えばロール紙のような連続紙）の裏面（印刷面の反対側）には、第１のアイマーク２と第２のアイマーク３とが光を反射しない色例えば黒色に予め印刷されている。第１のアイマーク２は、例えば２ｍｍ幅のもので、第１票４の印刷開始位置出し及び用紙カット位置出しのためのものである。第２のアイマーク３は、第１のアイマーク２の幅と異なる幅、例えば６ｍｍ幅のもので、第２票５の印刷開始位置出しのためのものである。
【００１３】
第１のアイマーク２により第１票４の印刷開始位置が定められ、第２のアイマーク３により第２票５の印刷開始位置が定められる。そして、印刷紙面の次の紙面（２枚目）の第１のアイマーク２により印刷用紙１の用紙カット位置出しが行われる。用紙カット位置では用紙カッターによりミシン目６に沿って切断される。なお、ミシン目６及び第１票４と第２票５の間のミシン目７は印刷用紙１に予め加工されている。
【００１４】
アイマークが２種類になるので、３種類の従来の印刷用紙１００に比べて印刷用紙１のコストを低減することができる。
【００１５】
図２は本発明の一実施例である携帯型帳票印刷装置１０の構成を示すブロック図である。コントロールボード１１には、ＣＰＵ１２、メモリ１３、パワーランプ、データランプ、パワースイッチ、フィードスイッチなどからなる操作表示部１４、電源回路１５などが装着されている。電源回路１５には充電可能なリチウムイオン電池１６が接続される。コントロールボード１１のモデムインターフェイス１７には無線モデム１８が接続される。通信インターフェイス１９には通信コネクタ２０が接続される。無線モデム１８或いは通信コネクタ２０によりＣＰＵ１２はハンディターミナル（携帯型情報検針端末機器）と情報の入出力を行う。
【００１６】
サーマルプリンタユニット２１は、サーマルヘッド２２、サーミスタ２３、紙送りモータ２４、紙送りローラ２５、用紙エンドセンサ２６、アイマークセンサ２７、リーフスイッチ２８などからなり、これらはヘッドインターフェイス２９、モータインターフェイス３０、センスインターフェイス３１、リーフインターフェイス３２などによりＣＰＵ１２に接続されている。サーミスタ２３はサーマルヘッド２２に適切な電力が供給できるようにヘッド温度を監視するためのものである。用紙エンドセンサ２６はアイマークセンサ２７との組み合わせで印刷用紙１の有無を検出するためのものである。すなわち、投射光反射検出によりオンとなるタイプの用紙エンドセンサ２６とアイマークセンサ２７の両方の出力がオンのときに、ＣＰＵ１２は印刷用紙１がないと判別する。リーフスイッチ２８はプリンタカバー（不図示）が正常に閉じているか否かの検出を行う。
【００１７】
携帯型帳票印刷装置１０の排紙口（不図示）には用紙カッター３３が設けられ、使用者にとって用紙カッター３３に印刷用紙１のミシン目６を当てて切り離しやすくなるようにしている。
【００１８】
サーマルヘッド、用紙カッターとアイマークセンサの位置関係を図３により説明する。
【００１９】
図３（ａ）は、図７に示す３種類のアイマーク１０１，１０２，１０３により印刷開始位置及び用紙カット位置を定める場合の位置関係を示す。頭出し用のアイマーク１０３がアイマークセンサを通過した後指定距離送られたときにミシン目１０６が用紙カッターの下に来るような位置関係になっている必要がある。
【００２０】
図３（ｂ）は、図３（ａ）に示すサーマルヘッド、用紙カッターとアイマークセンサの位置関係をそのまま用いて、図１に示す２種類のアイマーク２，３により印刷開始位置及び用紙カット位置を定めようとした場合の状態を示す。この場合、アイマークセンサが第１のアイマーク２の通過を検出する前に、ミシン目６が用紙カッターの下をすでに通過してしまい、ミシン目６に用紙カッターを作用させることができなくなってしまう。すなわち、サーマルヘッド、用紙カッターとアイマークセンサの位置関係が適切ではない。
【００２１】
図３（ｃ）は、本発明の一実施例におけるサーマルヘッド２２、用紙カッター３３とアイマークセンサ２７の位置関係を示す。印刷紙面の次の紙面（２枚目）の第１のアイマーク２がアイマークセンサ２７を通過した後指定距離送られたときにミシン目６が用紙カッター３３の下に来るような位置関係になるように、アイマークセンサ２７と用紙カッター３３の間の距離が定められている。
【００２２】
図４及び図５はＣＰＵ１２の印刷処理動作を示すフローチャート、図６は紙送りモータ２４、アイマークセンサ２７及びサーマルヘッド２２の動作タイミングを示すタイムチャートである。
【００２３】
ステップＳ１では印刷処理動作を開始する。ステップＳ２では図３（ｃ）の位置から紙送りモータ２４を逆回転させて、印刷用紙１を時刻ｔ1（図６）に逆方向（図３（ｃ）の矢印の逆方向）に送りはじめる。これによって、時刻ｔ２に第１のアイマーク２の後エッジがアイマークセンサ２７に至り、これをオンからオフにし、時刻ｔ３に第１のアイマーク２の前エッジがアイマークセンサ２７を通り過ぎてオフからオンにする。ステップＳ３では、アイマークセンサ２７がオン−オフ−オンとなることによって第１のアイマーク２の逆行検出を判別する。逆行検出が判別されないときは図５に示されるステップＳ２６以降のエラー処理に進む。
【００２４】
逆行検出を判別すると、ステップＳ４に進む。ステップＳ４では時刻ｔ４に紙送りモータ２４を正回転させて、印刷用紙１を順方向に送りはじめる。これによって、時刻ｔ５に第１のアイマーク２の前エッジがアイマークセンサ２７に至り、これをオンからオフにし、時刻ｔ６に第１のアイマーク２の後エッジがアイマークセンサ２７を通り過ぎてオフからオンにする。ステップＳ５では、アイマークセンサ２７がオン−オフとなることによって第１のアイマーク２の検出を判別する。第１のアイマーク検出が判別されないときはステップＳ２６以降のエラー処理に進む。
【００２５】
第１のアイマーク２の検出を判別すると、ステップＳ６に進み、印刷用紙１を第１票４の印刷開始位置に送る。この第１票印刷開始位置は、第１のアイマーク２の検出点を基準として予め定められた位置である。次のステップＳ７では、予め計算され、メモリ１３に格納されている第２票印刷開始位置セット値を第２票印刷開始位置カウンタにセットする。第２票印刷開始位置セット値は、第１票４の印刷が第２票５の領域に入っているか否かを判断するための値である。
【００２６】
ステップＳ８では時刻ｔ７にサーマルヘッド２２を駆動して第１票４の印刷を開始させる。第１票４の印刷中はステップＳ９にて第２票印刷開始位置カウンタをカウントダウンさせる。
【００２７】
時刻ｔ８に第２のアイマーク３の前エッジがアイマークセンサ２７に至り、これをオンからオフにし、時刻ｔ９に第２のアイマーク３の後エッジがアイマークセンサ２７を通り過ぎてオフからオンにする。ステップＳ１０では、アイマークセンサ２７がオン−オフとなることによって第２のアイマーク３の検出を判別する。第２のアイマーク３が検出されるまでステップＳ８〜Ｓ１０を繰り返し、第１票４の印刷を行う。
【００２８】
第２のアイマーク３の検出を判別すると、ステップＳ１１にて第１票４の印刷残りデータがあるか否かを判別し、印刷残りデータがあるときにはステップＳ１２にて印刷残りデータを印刷し、ステップＳ１３にて第２票印刷開始位置カウンタをカウントダウンさせる。ステップＳ１１にて第１票４の印刷残りデータ無しが判別されると、ステップＳ１４へ進み、第２票印刷開始位置カウンタの残数があるか否かを判別する。残数があるということは第１票４の印刷が完了した位置がミシン目７の手前であることを意味し、残数がないということは第１票４の印刷が完了した位置がミシン目７を越えて第２票５の領域に入ってきてしまったことを意味する。残数無しのときにはステップＳ２６以降のエラー処理に進む。
【００２９】
残数有りのときには図５に示されるステップＳ１５に進み、第２票印刷開始位置カウンタの残数だけ印刷用紙１を送る。そして、ステップＳ１６にて、印刷用紙１を第２票５の印刷開始位置に送る。この第２票印刷開始位置は、第２のアイマーク３の検出点を基準として予め定められた位置である。
【００３０】
ステップＳ１７では第２票５の印刷を開始させる。第２票５の印刷が例えば時刻ｔ１０で完了すると、サーマルヘッド２２の駆動を停止させる。
【００３１】
時刻ｔ１１に印刷紙面の次の紙面（２枚目）の第１のアイマーク２の前エッジがアイマークセンサ２７に至り、これをオンからオフにし、時刻ｔ１２に第１のアイマーク２の後エッジがアイマークセンサ２７を通り過ぎてオフからオンにする。ステップＳ１８では、アイマークセンサ２７がオン−オフとなることによって次の紙面の第１のアイマーク２の検出を判別する。第１のアイマーク２が検出されるまでステップＳ１７，Ｓ１８を繰り返し、第２票５の印刷を行うか、第２票５の印刷が完了しているときは印刷用紙１の給送のみを行う。
【００３２】
ステップＳ１９では、メモリ１３に格納されている用紙カット位置セット値を用紙カット位置カウンタにセットする。用紙カット位置セット値は、次の紙面の第１のアイマーク２の検出点を基準として予め定められた用紙カット位置（ミシン目６）の位置である。
第１のアイマーク２の検出を判別すると、ステップＳ２０にて第２票５の印刷残りデータがあるか否かを判別し、印刷残りデータがあるときにはステップＳ２１にて印刷残りデータを印刷し、ステップＳ２２にて用紙カット位置カウンタをカウントダウンさせる。ステップＳ２０にて第２票５の印刷残りデータ無しが判別されると、ステップＳ２３へ進み、用紙カット位置カウンタの残数があるか否かを判別する。残数があるということは第２票５の印刷が完了した位置がミシン目６の手前であることを意味し、残数がないということは第２票５の印刷が完了した位置が用紙カット位置であるミシン目６を越えて次の紙面の第１票４の領域に入ってきてしまったことを意味する。残数無しときにはステップＳ２６以降のエラー処理に進む。
【００３３】
残数有りのときにはステップＳ２４に進み、用紙カット位置カウンタの残数だけ印刷用紙１を送る。これによって、印刷用紙１は用紙カット位置（次の紙面との間のミシン目６）にくる。ステップＳ２５にて時刻ｔ１３で紙送りモータ２４を停止させ、印刷処理動作を終了する。ステップＳ２１で第２票５の残り印刷データを印刷する場合には、図６の時刻ｔ１０は時刻ｔ１１またはｔ１２の後になる。
【００３４】
ステップＳ３，Ｓ５にて「いいえ」の場合には、第１のアイマーク２が印刷されていないなどの印刷用紙１の不備があるためであるので、新たな紙面との間の用紙カット位置に印刷用紙１を送るため（頭出し）にステップＳ２６に進む。また、ステップＳ１４，Ｓ２３にて「いいえ」の場合には、印刷が収まるべき領域を越えて印刷されてしまったので、新たな紙面との間の用紙カット位置に印刷用紙１を送るためにステップＳ２６に進む。
【００３５】
ステップＳ２６ではエラーカウンタをセットする。エラーカウンタのセット数は新たな紙面の第１のアイマーク２まで送るのに十分な距離（第１票４と第２票５の合計長より長い例えば２００ｍｍ）に設定される。ステップＳ２７では印刷用紙１を順方向に送り、ステップＳ２８ではエラーカウンタをカウントダウンする。ステップＳ２９ではエラーカウンタの残数をある間はステップＳ３０に進んで、第１のアイマーク２の検出を行う。第１のアイマーク２が検出されると、ステップＳ３１にて第１のアイマーク２の検出点を基準とした用紙カット位置までの指定距離（予めメモリ１３に格納されている）だけ印刷用紙１を送り、ステップＳ２５で印刷処理動作を終了する。ステップＳ２９にてエラーカウンタの残数無しと判別すると、エラー処理不能としてステップＳ２５で印刷処理動作を終了する。
【００３６】
本実施例によれば、２種類のアイマークを用いて、３種類のアイマークを用いた場合と同じ高精度を出すことができる。
【００３７】
本発明の携帯型帳票印刷装置は、ハンディターミナルに内蔵されるプリンタとしても適用できるものである。
【００３８】
また、本発明は、郵便振替用の２連式帳票に限らず、他の用途の２連式帳票にも適用できるものである。
【図面の簡単な説明】
【００３９】
【図１】本発明の一実施例である携帯型帳票印刷装置に使用される印刷用紙の裏面を示す図である。
【図２】本発明の一実施例である携帯型帳票印刷装置１０の構成を示すブロック図である。
【図３】従来装置と本発明の一実施例におけるサーマルヘッド、用紙カッターとアイマークセンサの位置を示す図である。
【図４】図２の携帯型帳票印刷装置の印刷処理動作を示すフローチャートである。
【図５】図４のフローチャートの続きを示すフローチャートである。
【図６】図２の携帯型帳票印刷装置の印刷処理動作を示すタイムチャートである。
【図７】従来の携帯型帳票印刷装置に使用される印刷用紙の裏面を示す図である。
【符号の説明】
【００４０】
１      印刷用紙
２      第１のアイマーク
３      第２のアイマーク
４      第１票
５      第２票
６，７  ミシン目
１０    携帯型帳票印刷装置
１２    ＣＰＵ
２１    サーマルプリンタユニット
２２    サーマルヘッド
２４    紙送りモータ
２５    紙送りローラ
２７    アイマークセンサ
３３    用紙カッター
【図１】
2007098882.tif 000003
【図２】
2007098882.tif 000004
【図３】
2007098882.tif 000005
【図４】
2007098882.tif 000006
【図５】
2007098882.tif 000007
【図６】
2007098882.tif 000008
【図７】
2007098882.tif 000009